(57)【要約】【課題】  専用のヒータを用いることなく、かつ、利得が温度に依存することなく、装置の温度をあげることが可能な増幅器、無線基地局およびその温度制御方法を提供する。【解決手段】  ベクトル制御回路１５は、温度センサー１４によって検出された温度が所定の温度以下の場合には、可変利得増幅部１０１の利得が、方向性結合器７から出力された無線信号Ｓ４に基づいて決定される所定の利得より大きくなるようにベクトル調整器３の利得を制御する。さらに、ベクトル制御回路１５は、温度センサー１４によって検出された温度が所定の温度以下の場合には、方向性結合器１１から出力された無線信号Ｓ５が、方向性結合器７から出力された無線信号Ｓ４に基づいて決定される所定の利得で無線信号Ｓ１を増幅した信号となるようにベクトル調整器８の利得を制御する。【選択図】      図１
2005236552.tif 000002
【特許請求の範囲】
【請求項１】
入力信号を所定の利得で増幅した信号を出力信号として出力する増幅器であって、
前記入力信号のレベルを調整し、レベルを調整した入力信号を主増幅信号として出力する、利得の増大に応じて発熱量が増大する可変利得増幅部と、
前記可変利得増幅部から出力された主増幅信号のレベルを調整し、レベルを調整した主増幅信号を調整済み信号として出力する可変利得部と、
温度を検出する温度検出部と、
前記温度検出部によって検出された温度が所定の温度以下の場合、前記可変利得増幅部の利得を前記所定の利得より大きくするとともに、前記可変利得部から出力された調整済み信号が前記所定の利得の出力信号となるように前記可変利得部の利得を制御する制御部とを含む増幅器。
【請求項２】
請求項１に記載の増幅器において、
前記可変利得増幅部は、
前記入力信号の振幅および位相を調整する第１のベクトル調整器と、
前記第１のベクトル調整器によって振幅および位相が調整された入力信号を増幅した信号を前記主増幅信号として出力する主増幅器とを含み、
前記可変利得部は、
前記主増幅器から出力された主増幅信号と前記入力信号との差を示す差信号を出力する差信号出力部と、
前記差信号出力部から出力された差信号の振幅および位相を調整する第２のベクトル調整器と、
前記第２のベクトル調整器によって振幅および位相が調整された差信号を増幅した信号を調整用信号として出力する補助増幅器と、
前記補助増幅器から出力された調整用信号に基づいて前記主増幅器から出力された主増幅信号を調整した信号を前記調整済み信号として出力する調整部とを含み、
前記制御部は、
前記温度検出部によって検出された温度が所定の温度以下の場合には、前記可変利得増幅部の利得が前記所定の利得より大きくなるように前記第１のベクトル調整器の利得を制御し、かつ、前記調整部から出力された調整済み信号が前記出力信号となるように前記第２のベクトル調整器の利得を制御し、
前記温度検出部によって検出された温度が所定の温度より高い場合には、前記差信号出力部から出力された差信号が前記主増幅器から出力された主増幅信号の歪成分を示すように前記第１のベクトル調整器を制御し、かつ、前記調整部から出力された調整済み信号が前記主増幅器から出力された主増幅信号から該主増幅信号の歪成分が除去された信号となるように前記第２のベクトル調整器を制御する、増幅器。
【請求項３】
請求項１に記載の増幅器において、
前記可変利得増幅部は、フィードフォワード増幅器であり、
前記可変利得部は、可変減衰器である、増幅器。
【請求項４】
請求項１ないし３のいずれか１項に記載の増幅器と、
前記増幅部から出力された出力信号に応じた無線信号を送信する無線信号送信部とを含む、無線基地局装置。
【請求項５】
入力信号のレベルを調整しレベルを調整した入力信号を主増幅信号として出力する、利得の増大に応じて発熱量が増大する可変利得増幅部と、前記可変利得増幅部から出力された主増幅信号のレベルを調整しレベルを調整した主増幅信号を調整済み信号として出力する可変利得部とを含み、前記入力信号を所定の利得で増幅した信号を出力信号として出力する増幅器が行う温度制御方法であって、
温度を検出する温度検出ステップと、
前記温度検出ステップで検出された温度が所定の温度以下の場合、前記可変利得増幅部の利得を前記所定の利得より大きくするとともに、前記可変利得部から出力された調整済み信号が前記出力信号となるように前記可変利得部の利得を制御する制御ステップとを含む温度制御方法。
【請求項６】
請求項５に記載の温度制御方法において、
前記可変利得増幅部は、前記入力信号の振幅および位相を調整する第１のベクトル調整器と、前記第１のベクトル調整器によって振幅および位相が調整された入力信号を増幅した信号を前記主増幅信号として出力する主増幅器とを含み、
前記可変利得部は、前記主増幅器から出力された主増幅信号と前記入力信号との差を示す差信号を出力する差信号出力部と、前記差信号出力部から出力された差信号の振幅および位相を調整する第２のベクトル調整器と、前記第２のベクトル調整器によって振幅および位相が調整された差信号を増幅した信号を調整用信号として出力する補助増幅器と、前記補助増幅器から出力された調整用信号に基づいて前記主増幅器から出力された主増幅信号を調整した信号を前記調整済み信号として出力する調整部とを含み、
前記制御ステップは、
前記温度検出部によって検出された温度が所定の温度以下の場合には、前記可変利得増幅部の利得が前記所定の利得より大きくなるように前記第１のベクトル調整器の利得を制御し、かつ、前記調整部から出力された調整済み信号が前記出力信号となるように前記第２のベクトル調整器の利得を制御し、
前記温度検出部によって検出された温度が所定の温度より高い場合には、前記差信号出力部から出力された差信号が前記主増幅器から出力された主増幅信号の歪成分を示すように前記第１のベクトル調整器を制御し、かつ、前記調整部から出力された調整済み信号が前記主増幅器から出力された主増幅信号から該主増幅信号の歪成分が除去された信号となるように前記第２のベクトル調整器を制御する、温度制御方法。
【請求項７】
請求項５または６に記載の温度制御方法と、
前記出力信号に応じた無線信号を送信する無線信号送信ステップとを含む、無線信号送信方法。
【発明の詳細な説明】
【技術分野】
【０００１】
本発明は、増幅器、無線基地局装置、温度制御方法および無線信号送信方法に関し、特には、自己の発熱量を制御することが可能な増幅器、無線基地局装置、温度制御方法および無線信号送信方法に関する。
【背景技術】
【０００２】
電子部品は、予め設定された動作許容温度（部品仕様温度）内のときに正常に動作する。したがって、例えば、電子部品を内蔵する移動体通信システムの無線基地局装置が寒冷地に設置される場合、ヒータなどの発熱体が無線基地局装置の筐体内に設けられ、その発熱体からの発熱によって、無線基地局装置の筐体内の温度が予め設定された動作許容温度に保持される。
【０００３】
例えば、特許文献１（特開２０００−１８８１７１号公報）には、電子部品を加熱するヒータとして、加熱専用のパワートランジスタが用いられた温度制御装置が記載されている。
【０００４】
しかしながら、例えば、無線基地局装置の筐体内にヒータ等の専用の発熱体が設けられると、部品点数が多くなり、無線基地局装置の原価が上がってしまう。また、専用の発熱体が設けられる場合、発熱体からの発熱量を考慮して発熱体の設置位置を決定しなければならず、設計が煩わしくなってしまう。
【０００５】
また、無線基地局装置の消費電力が規定されている場合、無線基地局装置内の増幅器の消費電力が無線基地局装置の運用状況に応じて変動するため、この増幅器の消費電力の変動に応じて専用のヒータの消費電力を制御する回路が必要となり、さらに部品点数が増加し、原価が上昇してしまう。
【０００６】
なお、ファン等の冷却器を低温時に止めることで、無線基地局装置内部の温度を上げることは可能であるが、例えば、極寒冷地では、冷却器の動作を止めるだけでは無線基地局装置の筐体内の温度が動作許容温度まで上がりきらず、無線基地局装置内部の温度を動作許容温度に保持するには不十分であった。
【０００７】
特許文献２（特開２００３−８４９３号公報）には、無線基地局装置の筐体内の温度を上げる手段として専用のヒータではなく送信増幅器を用いたＣＤＭＡ（Code Division Multiple Access）方式移動通信用無線基地局装置が記載されている。
【０００８】
具体的には、無線基地局装置の筐体内の温度が低くなると、無線基地局装置の送信増幅器の送信電力を大きくすることによって送信増幅器からの発熱量を大きくして、無線基地局装置の筐体内の温度を上げるＣＤＭＡ方式移動通信用無線基地局装置が特許文献２に記載されている。
【特許文献１】特開２０００−１８８１７１号公報
【特許文献２】特開２００３−８４９３号公報
【発明の開示】
【発明が解決しようとする課題】
【０００９】
特許文献１に記載にように、専用の発熱体を用いると、部品点数が多くなり、装置の原価が上がってしまうという問題が生じる。また、発熱体からの発熱量を考慮して発熱体の設置位置を決定しなければならず、設計が煩わしくなってしまう。また、無線基地局装置の消費電力が規定されている場合、無線基地局装置内の増幅器の消費電力の変動に応じて専用のヒータの消費電力を制御する回路が必要となり、さらに部品点数が増加し、原価が上昇してしまうという問題が生じる。
【００１０】
特許文献２に記載のように無線基地局装置の送信増幅器をヒータとして用いれば、専用のヒータを不要にすることが可能になるので、部品点数の増加および設計の煩わしさといった問題を解消することは可能になる。
【００１１】
しかしながら、特許文献２に記載のＣＤＭＡ方式移動通信用無線基地局装置では、送信増幅器の送信電力が無線基地局装置の筐体内の温度に応じて変動してしまう。送信増幅器の送信電力が大きくなるということは送信増幅器の利得が大きくなることを意味するため、送信増幅器の利得が無線基地局装置の筐体内の温度に応じて変動してしまう。したがって、増幅器の利得を、温度と無関係に設定することが困難となる。
【００１２】
また、特許文献２に記載のＣＤＭＡ方式移動通信用無線基地局装置では、例えば、トラフィックが少ない状態でも温度が低いと無線基地局装置の送信電力（利得）が大きくなってしまい、無線基地局装置と移動体端末との間での通信に支障をきたしてしまう可能性が生じる。
【００１３】
本発明の目的は、専用のヒータを用いることなく、かつ、利得が温度に依存することなく、装置の温度をあげることが可能な増幅器、無線基地局装置、温度制御方法および無線信号送信方法を提供することである。
【課題を解決するための手段】
【００１４】
上記の目的を達成するために、本発明の増幅器は、入力信号を所定の利得で増幅した信号を出力信号として出力する増幅器であって、前記入力信号のレベルを調整し、レベルを調整した入力信号を主増幅信号として出力する、利得の増大に応じて発熱量が増大する可変利得増幅部と、前記可変利得増幅部から出力された主増幅信号のレベルを調整し、レベルを調整した主増幅信号を調整済み信号として出力する可変利得部と、温度を検出する温度検出部と、前記温度検出部によって検出された温度が所定の温度以下の場合、前記可変利得増幅部の利得を前記所定の利得より大きくするとともに、前記可変利得部から出力された調整済み信号が前記所定の利得の出力信号となるように前記可変利得部の利得を制御する制御部とを含む。
【００１５】
また、本発明の温度制御方法は、入力信号のレベルを調整しレベルを調整した入力信号を主増幅信号として出力する、利得の増大に応じて発熱量が増大する可変利得増幅部と、前記可変利得増幅部から出力された主増幅信号のレベルを調整しレベルを調整した主増幅信号を調整済み信号として出力する可変利得部とを含み、前記入力信号を所定の利得で増幅した信号を出力信号として出力する増幅器が行う温度制御方法であって、温度を検出する温度検出ステップと、前記温度検出ステップで検出された温度が所定の温度以下の場合、前記可変利得増幅部の利得を前記所定の利得より大きくするとともに、前記可変利得部から出力された調整済み信号が前記所定の利得の出力信号となるように前記可変利得部の利得を制御する制御ステップとを含む。
【００１６】
上記の発明によれば、温度検出部によって検出された温度が所定の温度以下の場合、可変利得増幅部の利得が所定の利得より大きくなり、かつ、可変利得部から出力された調整済み信号が入力信号を所定の利得で増幅した信号となるように可変利得部の利得が制御される。
【００１７】
可変利得増幅部は利得の増大に応じて発熱量が増大するため、可変利得増幅部の利得を所定の利得より大きくなることによって、可変利得増幅部の発熱量が増大する。このため、温度が所定の温度以下の場合、増幅器の温度が上昇する。さらに、可変利得部から出力された調整済み信号が入力信号を所定の利得で増幅した信号となるように、可変利得部の利得が制御されるため、増幅器の利得は温度に依存せず所定の利得となる。
【００１８】
したがって、上記の発明によれば、専用のヒータを用いることなく増幅器の温度を上げて装置の正常性を保つことができ、利得が環境温度に依存しないものとすることが可能となる。
【００１９】
また、上記増幅器において、前記可変利得増幅部は、前記入力信号の振幅および位相を調整する第１のベクトル調整器と、前記第１のベクトル調整器によって振幅および位相が調整された入力信号を増幅した信号を前記主増幅信号として出力する主増幅器とを含み、前記可変利得部は、前記主増幅器から出力された主増幅信号と前記入力信号との差を示す差信号を出力する差信号出力部と、前記差信号出力部から出力された差信号の振幅および位相を調整する第２のベクトル調整器と、前記第２のベクトル調整器によって振幅および位相が調整された差信号を増幅した信号を調整用信号として出力する補助増幅器と、前記補助増幅器から出力された調整用信号に基づいて前記主増幅器から出力された主増幅信号を調整した信号を前記調整済み信号として出力する調整部とを含み、前記制御部は、前記温度検出部によって検出された温度が所定の温度以下の場合には、前記可変利得増幅部の利得が前記所定の利得より大きくなるように前記第１のベクトル調整器の利得を制御し、かつ、前記調整部から出力された調整済み信号が前記出力信号となるように前記第２のベクトル調整器の利得を制御し、前記温度検出部によって検出された温度が所定の温度より高い場合には、前記差信号出力部から出力された差信号が前記主増幅器から出力された主増幅信号の歪成分を示すように前記第１のベクトル調整器を制御し、かつ、前記調整部から出力された調整済み信号が前記主増幅器から出力された主増幅信号から該主増幅信号の歪成分が除去された信号となるように前記第２のベクトル調整器を制御することが望ましい。
【００２０】
また、上記温度制御方法において、前記可変利得増幅部は、前記入力信号の振幅および位相を調整する第１のベクトル調整器と、前記第１のベクトル調整器によって振幅および位相が調整された入力信号を増幅した信号を前記主増幅信号として出力する主増幅器とを含み、前記可変利得部は、前記主増幅器から出力された主増幅信号と前記入力信号との差を示す差信号を出力する差信号出力部と、前記差信号出力部から出力された差信号の振幅および位相を調整する第２のベクトル調整器と、前記第２のベクトル調整器によって振幅および位相が調整された差信号を増幅した信号を調整用信号として出力する補助増幅器と、前記補助増幅器から出力された調整用信号に基づいて前記主増幅器から出力された主増幅信号を調整した信号を前記調整済み信号として出力する調整部とを含み、前記制御ステップは、前記温度検出部によって検出された温度が所定の温度以下の場合には、前記可変利得増幅部の利得が前記所定の利得より大きくなるように前記第１のベクトル調整器の利得を制御し、かつ、前記調整部から出力された調整済み信号が前記出力信号となるように前記第２のベクトル調整器の利得を制御し、前記温度検出部によって検出された温度が所定の温度より高い場合には、前記差信号出力部から出力された差信号が前記主増幅器から出力された主増幅信号の歪成分を示すように前記第１のベクトル調整器を制御し、かつ、前記調整部から出力された調整済み信号が前記主増幅器から出力された主増幅信号から該主増幅信号の歪成分が除去された信号となるように前記第２のベクトル調整器を制御することが望ましい。
【００２１】
上記の発明によれば、温度が所定の温度より高い場合には、フィードフォワード増幅器として動作する。したがって、フィードフォワード増幅器において、上記の効果を奏することが可能になる。
【００２２】
また、上記増幅器において、前記可変利得増幅部は、フィードフォワード増幅器であり、前記可変利得部は、可変減衰器であることが望ましい。
【００２３】
また、本発明の無線基地局装置は、上記増幅器と、前記増幅部から出力された出力信号に応じた無線信号を送信する無線信号送信部とを含む。
【００２４】
また、本発明の無線信号送信方法は、上記温度制御方法と、前記出力信号に応じた無線信号を送信する無線信号送信ステップとを含む。
【００２５】
上記の発明によれば、増幅器を有する無線基地局装置において、専用のヒータを用いることなく、かつ、増幅器の利得を温度に依存せずに設定することが可能となり、無線基地局装置の温度をあげることが可能となる。
【発明の効果】
【００２６】
本発明によれば、温度検出部によって検出された温度が所定の温度以下の場合、入力信号のレベルを調整する可変利得増幅部の利得が所定の利得より大きくなり、かつ、可変利得増幅部から出力される主増幅信号のレベルを調整する可変利得部から出力された調整済み信号が入力信号を所定の利得で増幅した信号となるように可変利得部の利得が制御される。
【００２７】
可変利得増幅部は利得の増大に応じて発熱量が増大するため、可変利得増幅部の利得が所定の利得より大きくなることによって、可変利得増幅部の発熱量が増大する。このため、温度が所定の温度以下の場合、増幅器の温度が上昇する。さらに、可変利得部から出力された調整済み信号が入力信号を所定の利得で増幅した信号となるように、可変利得部の利得が制御されるため、増幅器の利得は温度に依存せず所定の利得となる。
【００２８】
したがって、上記の発明によれば、専用のヒータを用いることなく、かつ、利得を温度に依存せずに設定することが可能となり、増幅器の温度をあげることが可能となる。
【発明を実施するための最良の形態】
【００２９】
以下、本発明の一実施例を図面を参照して説明する。
【００３０】
図１は、本発明の一実施例の無線基地局装置を示したブロック図である。
【００３１】
図１において、本無線基地局装置は、増幅器１００と、無線信号送信部としてのアンテナ２００とを含む。
【００３２】
本発明の一実施例の増幅器１００は、入力端子１と、方向性結合器（ｃｕｐ）２と、可変利得増幅部１０１と、可変利得部１０２と、方向性結合器（ｃｕｐ）１２と、出力端子１３と、温度センサー１４と、ベクトル制御回路１５とを含む。
【００３３】
入力端子１は、入力信号としての無線信号Ｓ１を受け付ける。
【００３４】
方向性結合器２は、入力端子１に入力した無線信号Ｓ１を、無線信号Ｓ２と無線信号Ｓ３とに分配する。方向性結合器２は、無線信号Ｓ２を可変利得増幅部１０１に供給し、無線信号Ｓ３を可変利得部１０２に供給する。
【００３５】
可変利得増幅部１０１は、無線信号Ｓ２のレベルを調整し、レベルを調整した無線信号Ｓ２を主増幅信号Ｓ１０として出力する。また、可変利得増幅部１０１は、自己の利得が増大すると自己の発熱量が増大する。本実施例では、可変利得増幅部１０１は、ベクトル調整器３と、主増幅器４とを含む。
【００３６】
第１のベクトル調整器としてのベクトル調整器３は、ベクトル制御回路１５から出力された制御信号Ｓ６に基づいて無線信号Ｓ２の位相を所望の位相に調整する。また、ベクトル調整器３は、ベクトル制御回路１５から出力された制御信号Ｓ６に基づいて無線信号Ｓ２の振幅を所望の振幅に調整する。
【００３７】
主増幅器４は、ベクトル調整器３により位相と振幅が調整された無線信号Ｓ２を電力増幅し、電力増幅した無線信号Ｓ２を主増幅信号Ｓ１０として出力する。主増幅器４は、主増幅信号Ｓ１０の電力が増大すると発熱量が増大する。よって、主増幅器４は、ベクトル調整器３の利得が大きくなると、発熱量が増大する。なお、主増幅器４から出力される主増幅信号Ｓ１０は、無線信号Ｓ２を増幅した主信号と、無線信号Ｓ２を増幅する際に主増幅器４で生じる歪成分とを有する。
【００３８】
可変利得部１０２は、可変利得増幅部１０１から出力された主増幅信号Ｓ１０のレベルを調整し、レベルを調整した主増幅信号Ｓ１０を調整済み信号（無線信号）Ｓ５として出力する。本実施例では、可変利得部１０２は、方向性結合器（ｃｕｐ）５と、遅延線６と、方向性結合器（ｃｕｐ）７と、ベクトル調整器８と、補助増幅器９と、遅延線１０と、方向性結合器（ｃｕｐ）１１とを含む。
【００３９】
方向性結合器５は、主増幅器４より出力された主増幅信号Ｓ１０を２つに分配する。具体的には、方向性結合器５は、主増幅信号Ｓ１０を遅延線１０に供給する。また、方向性結合器５は、主増幅信号Ｓ１０を方向性結合器７に供給する。
【００４０】
遅延線６は、方向性結合器２から供給された無線信号Ｓ３の位相を反転する。
【００４１】
差信号出力部としての方向性結合器７は、遅延線６によって位相が反転した無線信号Ｓ３と、方向性結合器５から出力される主増幅信号Ｓ１０とを合成する。方向性結合器７は、位相が反転した無線信号Ｓ３と主増幅信号Ｓ１０とを合成することによって生成される無線信号Ｓ４を出力する。換言すると、方向性結合器７は、主増幅器４から出力された主増幅信号Ｓ１０と無線信号Ｓ１との差を示す差信号として無線信号Ｓ４を出力する。方向性結合器７は、無線信号Ｓ４をベクトル調整器８およびベクトル制御回路１５に供給する。
【００４２】
第２のベクトル調整器としてのベクトル調整器８は、ベクトル制御回路１５から出力された制御信号Ｓ７に基づいて無線信号Ｓ４の位相を所望の位相に調整する。また、ベクトル調整器８は、ベクトル制御回路１５から出力された制御信号Ｓ７に基づいて無線信号Ｓ４の振幅を所望の振幅に調整する。
【００４３】
補助増幅器９は、ベクトル調整器８より位相および振幅が調整された無線信号Ｓ４を電力増幅し、電力増幅した無線信号Ｓ４を調整用信号Ｓ１１として出力する。
【００４４】
遅延線１０は、方向性結合器５から供給された主増幅信号Ｓ１０の位相を反転する。
【００４５】
調整部としての方向性結合器１１は、遅延線１０によって位相が反転した主増幅信号Ｓ１０と、補助増幅器９から出力された調整用信号Ｓ１１とを合成する。方向性結合器１１は、位相が反転した主増幅信号Ｓ１０と調整用信号Ｓ１１とを合成することによって生成される調整済み信号を無線信号Ｓ５として出力する。
【００４６】
方向性結合器１２は、方向性結合器１１から出力された無線信号Ｓ５を２つに分配する。具体的には、方向性結合器１２は、無線信号Ｓ５を出力端子１３に供給する。出力端子１３に接続されているアンテナ２００は、出力端子１３に供給された無線信号Ｓ５に応じた無線信号を送信する。また、方向性結合器１２は、無線信号Ｓ５をベクトル制御回路１５に供給する。
【００４７】
温度検出部としての温度センサー１４は、本増幅器１００の筐体（不図示）内部、さらに言えば本無線基地局装置の筐体（不図示）内部の温度を測定し、測定した温度を示す温度情報として信号Ｓ８を出力する。
【００４８】
制御部としてのベクトル制御回路１５は、マイクロプロセッサ（ＣＰＵ）等のコンピュータを含む。
【００４９】
ベクトル制御回路１５は、温度センサー１４の出力、方向性結合器７の出力および方向性結合器１２の出力とに基づいてベクトル調整器３およびベクトル調整器８を制御する。
【００５０】
具体的には、ベクトル制御回路１５は、温度センサー１４によって検出された温度が所定の温度より高い場合には、方向性結合器７から出力された無線信号Ｓ４が主増幅信号Ｓ１０の歪成分のみを示しているか否かを確認する。ベクトル制御回路１５は、無線信号Ｓ４が主増幅信号Ｓ１０の歪成分のみを示していない場合、無線信号Ｓ４が歪成分だけになるようにする制御信号Ｓ６をベクトル調整器３に出力する。ベクトル調整器３は、制御信号Ｓ６に基づいて出力信号の位相および振幅（利得）を調整する。
【００５１】
また、ベクトル制御回路１５は、温度センサー１４によって検出された温度が所定の温度より高い場合には、方向性結合器１２から出力された無線信号Ｓ５が主増幅信号Ｓ１０の歪成分を除去した信号となっているか否かを確認する。ベクトル制御回路１５は、無線信号Ｓ５が主増幅信号Ｓ１０の歪成分を除去した信号となっていない場合は、無線信号Ｓ５が主増幅信号Ｓ１０の歪成分を除去した信号になるようにする制御信号Ｓ７をベクトル調整器８に出力する。ベクトル調整器８は、制御信号Ｓ７に基づいて調整用信号Ｓ１１の位相および振幅（利得）を調整する。
【００５２】
さらに、ベクトル制御回路１５は、温度センサー１４から出力される信号Ｓ８に基づいて、可変利得増幅部１０１の利得および可変利得１０２の利得を制御する。
【００５３】
例えば、ベクトル制御回路１５は、温度センサー１４によって検出された温度が所定の温度以下の場合、可変利得増幅部１０１の利得を、方向性結合器７から出力された無線信号Ｓ４に基づいて決定される所定の利得より大きくする。
【００５４】
さらに、ベクトル制御回路１５は、温度センサー１４によって検出された温度が所定の温度以下の場合、可変利得部１０２から出力された無線信号Ｓ５が、方向性結合器７から出力された無線信号Ｓ４に基づいて決定される所定の利得で無線信号Ｓ１を増幅した信号となるように、可変利得部１０２の利得を制御する。
【００５５】
具体的には、ベクトル制御回路１５は、温度センサー１４によって検出された温度が所定の温度以下の場合には、可変利得増幅部１０１の利得が、方向性結合器７から出力された無線信号Ｓ４に基づいて決定される所定の利得より大きくなるようにベクトル調整器３の利得を制御する。
【００５６】
さらに、ベクトル制御回路１５は、温度センサーによって検出された温度が所定の温度以下の場合には、方向性結合器１１から出力された無線信号Ｓ５が、方向性結合器７から出力された無線信号Ｓ４に基づいて決定される所定の利得で無線信号Ｓ１を増幅した信号となるようにベクトル調整器８の利得を制御する。
【００５７】
なお、本増幅器１００の中で温度センサー１４およびベクトル制御回路１５を除いた部分の構成は、一般的なフィードフォワード方式の増幅器の構成と同じである。
【００５８】
また、ベクトル制御回路１５が行う処理の中で、温度センサー１４によって検出された温度が所定の温度より高い場合に行う処理は、一般的なフィードフォワード方式の増幅器で行われている処理である。
【００５９】
次に、動作の概要を説明する。
【００６０】
本実施例の増幅器（無線基地局装置）は、低温環境下でかつ低送信電力時に装置内部の温度が低下することを防止するために、自己発熱することが可能である。
【００６１】
本実施例の増幅器（無線基地局装置）は、低温かつ低送信電力時は、ベクトル調整器３の利得を所望の利得より上げることによって主増幅器４の出力を上げ、主増幅器４の消費電力を上げる。主増幅器４の消費電力が上がると、主増幅器４の発熱量も上がる。よって、装置の温度が上昇する。
【００６２】
しかしながら、主増幅器４の出力は、所望の利得に応じた出力より大きくなってしまう。本実施例では、補助増幅器９より主増幅器４の出力と逆位相の信号を出力させ、主増幅器４の出力と補助増幅器９の出力とを合成することによって、増幅器としての出力を所望の利得に応じた出力に戻す。
【００６３】
本実施例によれば、フィードフォワード増幅器の利得を変更すること無く消費電力だけ上げることができるので、内部発熱量が上がることにより低温環境下でも部品の仕様温度以上に内部温度を保つことが可能となり、フィードフォワード増幅器の利得を任意の値に設定することが可能となる。
【００６４】
次に、動作を説明する。
【００６５】
図２は、本増幅器の動作、特には、ベクトル制御回路１５の動作を説明するためのフローチャートである。以下、図２を参照して本増幅器の動作、特には、ベクトル制御回路１５の動作を説明する。
【００６６】
ベクトル制御回路１５は、温度センサー１４が所定の温度以下の温度を検出したか否か判断する（ステップＡ１）。本実施例では、所定の温度として０度Ｃ（部品仕様温度の下限値）を用いる。なお、所定の温度は、０度Ｃに限るものではなく部品仕様温度の下限値に応じた温度であれば適宜変更可能である。
【００６７】
ベクトル制御回路１５は、温度センサー１４が所定の温度より高い温度を検出した場合、増幅器１００をフィードフォワード増幅器として動作させる。
【００６８】
具体的には、ベクトル制御回路１５は、方向性結合器７から出力された無線信号Ｓ４が主増幅信号Ｓ１０の歪成分のみを示しているか否かを確認する（ステップＢ１）。
【００６９】
ベクトル制御回路１５は、無線信号Ｓ４が主増幅信号Ｓ１０の歪成分のみを示していない場合は、無線信号Ｓ４が主増幅信号Ｓ１０の歪成分だけになるようにする制御信号Ｓ６をベクトル調整器３に出力する（ステップＢ２）。ベクトル調整器３は、制御信号Ｓ６に基づいて出力信号の位相および振幅（利得）を調整し、無線信号Ｓ４が主増幅信号Ｓ１０の歪成分のみを示すようにする。
【００７０】
無線信号Ｓ４が主増幅信号Ｓ１０の歪成分のみを示している場合、または、ベクトル調整器３を調整した後、ベクトル制御回路１５は、方向性結合器１２から出力された無線信号Ｓ５が主増幅信号Ｓ１０の歪成分を除去した信号となっているか否かを確認する（ステップＢ３）。
【００７１】
ベクトル制御回路１５は、無線信号Ｓ５が主増幅信号Ｓ１０の歪成分を除去した信号となっていない場合、無線信号Ｓ５が主増幅信号Ｓ１０の歪成分を除去した信号になるようにする制御信号Ｓ７をベクトル調整器８に出力する（ステップＢ４）。ベクトル調整器８は、制御信号Ｓ７に基づいて出力信号の位相および振幅（利得）を調整し、無線信号Ｓ５を主増幅信号Ｓ１０の歪成分を除去した信号にする。
【００７２】
ベクトル制御回路１５は、無線信号Ｓ５が主増幅信号Ｓ１０の歪成分を除去した信号となっている場合、または、ベクトル調整器９を調整した後、処理をステップＡ１に戻す。
【００７３】
図３は、増幅器１００がフィードフォワード増幅器として機能する場合の増幅器１００の動作を説明するための説明図である。
【００７４】
入力端子１から入力された無線信号Ｓ１は、方向性結合器２により無線信号Ｓ２と無線信号Ｓ３とに分配される。方向性結合器２は、無線信号Ｓ２をベクトル調整器３に供給し、無線信号Ｓ３を遅延線６に供給する。
【００７５】
図３（ａ）は入力端子１に入力される無線信号Ｓ１の一例を示した波形図であり、図３（ｂ）は方向性結合器２からベクトル調整器３に供給された無線信号Ｓ２を示した波形図であり、図３（ｃ）は方向性結合器２から遅延線６に供給された無線信号Ｓ３を示した波形図である。
【００７６】
ベクトル調整器３は、ベクトル制御回路１５から出力された制御信号Ｓ６に基づいて、無線信号Ｓ４が主増幅信号Ｓ１０の歪成分のみを示すように、無線信号Ｓ２の位相および振幅を調整する。
【００７７】
主増幅器４は、ベクトル調整器３により位相および振幅とが調整された無線信号Ｓ２を電力増幅し、電力増幅した無線信号Ｓ２を主増幅信号Ｓ１０として出力する。図３（ｄ）は、主増幅器４から出力された主増幅信号Ｓ１０を示した波形図である。主増幅信号Ｓ１０は、無線信号Ｓ２を増幅した主信号３ａと、無線信号Ｓ２を増幅する際に主増幅器４で生じる歪成分３ｂとを有する。
【００７８】
方向性結合器５は、主増幅器４より出力された主増幅信号Ｓ１０を２つに分配する。方向性結合器５は、主増幅信号Ｓ１０を遅延線１０に供給する。また、方向性結合器５は、主増幅信号Ｓ１０を方向性結合器７に供給する。なお、本実施例では、主増幅信号Ｓ１０が方向性結合器５から方向性結合器７に供給される際に所定の損失を伴う。図３（ｅ）は、方向性結合器７に入力する主増幅信号Ｓ１０を示した波形図である。
【００７９】
遅延線６は、方向性結合器２から出力された無線信号Ｓ３の位相を反転する。図３（ｆ）は、遅延線６から出力された無線信号Ｓ３を示した波形図である。
【００８０】
方向性結合器７は、遅延線６によって位相が反転した無線信号Ｓ３と、方向性結合器５から出力された主増幅信号Ｓ１０とを合成する。方向性結合器７は、位相が反転した無線信号Ｓ３と主増幅信号Ｓ１０とを合成することによって生成される無線信号Ｓ４を出力する。
【００８１】
方向性結合器７は、遅延線６で位相反転されかつ方向性結合器５から出力された主増幅信号Ｓ１０と同電力の歪が無い無線信号Ｓ３（図３（ｆ））と、方向性結合器５から出力された主増幅信号（主増幅器４で発生した歪みを有する。）Ｓ１０（図３（ｅ））とを、合成することにより、主増幅器４で発生した歪成分だけの無線信号Ｓ４を抽出する。図３（ｇ）は、方向性結合器７から出力された無線信号Ｓ４を示した波形図である。
【００８２】
ベクトル調整器８は、ベクトル制御回路１５から出力された制御信号Ｓ７に基づいて、無線信号Ｓ５が主増幅信号Ｓ１０の歪成分を除去した信号になるように、無線信号Ｓ４の位相および振幅を調整する。
【００８３】
補助増幅器９は、ベクトル調整器８より位相および振幅とが調整された無線信号Ｓ４を電力増幅し、電力増幅した無線信号Ｓ４を調整用信号Ｓ１１として出力する。図３（ｈ）は、補助増幅器９から出力された調整用信号Ｓ１１を示した波形図である。
【００８４】
遅延線１０は、方向性結合器５から供給された主増幅信号Ｓ１０の位相を反転する。図３（ｉ）は、遅延線１０によって位相が反転した主増幅信号Ｓ１０を示した波形図である。
【００８５】
方向性結合器１１は、遅延線１０によって位相が反転した主増幅信号Ｓ１０と、補助増幅器９から出力された調整用信号Ｓ１１とを合成する。
【００８６】
方向性結合器１１は、調整用信号Ｓ１１（図３（ｈ））と、遅延線１０で逆位相にした主増幅信号Ｓ１０（図３（ｉ））とを、合成することにより、主増幅信号Ｓ１０から主増幅器４で発生した歪成分のみ消去した無線信号Ｓ５を生成することが可能となる。図３（ｊ）は、無線信号Ｓ５を示した波形図である。なお、図３（ｊ）は、主増幅信号Ｓ１０から主増幅器４で発生した歪成分の一部が消去された無線信号Ｓ５を示した波形図である。
【００８７】
方向性結合器１２は、方向性結合器１１から出力された無線信号Ｓ５を出力端子１３とベクトル制御回路１５に分配する。出力端子１３に接続されているアンテナ２００は、出力端子１３に供給された無線信号Ｓ５に応じた無線信号を送信する。
【００８８】
図２に戻って、ベクトル制御回路１５は、温度センサー１４が所定の温度（０度Ｃ）以下の温度を検出した場合（ステップＡ１）、増幅器１００の筐体内の温度が、増幅器１００を構成する部品（例えば、電子機器）の仕様温度（所定の温度）を下回ってしまうと判断し、主増幅器４の消費電力を上げることによって主増幅器４の発熱量を上げる。
【００８９】
具体的には、温度センサー１４が測定した温度が所定の温度以下の場合、ベクトル制御回路１５は、増幅器１００の最大定格電力（最大送信電力）を変数Ａに代入する（ステップＡ２）。本実施例では、増幅器１００の最大定格電力を２０Ｗとする。なお、増幅器１００の最大定格電力は２０Ｗに限らず適宜変更可能である。
【００９０】
ベクトル制御回路１５は、現在の無線信号Ｓ５の出力（送信電力）を変数Ｂに代入する（ステップＡ３）。
【００９１】
ベクトル制御回路１５は、現在の無線信号Ｓ５の出力（送信電力）が最大定格電力（最大送信電力）に対してどのくらい低いか判断する。具体的には、ベクトル制御回路１５は、変数Ａと変数Ｂとに基づいて、現在の無線信号Ｓ５の出力（送信電力）が最大定格電力（最大送信電力）になるように、ベクトル調整器３の利得を調整する（ステップＡ４）。
【００９２】
例えば、現在の無線信号Ｓ５が２Ｗの送信電力であれば、ベクトル制御回路１５は、ベクトル調整器３の利得を１０ｄＢ上げることによって、無線信号Ｓ５が最大送信出力（２０Ｗ）になるように調整する。ベクトル調整器３の利得が上がることによって、主増幅器４の消費電力は上がり、主増幅器４の発熱量が上がる。
【００９３】
さらに、ベクトル制御回路１５は、ベクトル調整器３の利得が上がることにより増加した主増幅信号Ｓ１０の送信電力を、ステップＡ４でベクトル調整器３の利得が調整される前の送信電力（２Ｗ）に戻すために、ベクトル調整器８の利得を上げて主増幅信号Ｓ１０と逆位相の調整用信号Ｓ１１を大きくし、方向性結合器１１から出力される無線信号Ｓ５の出力（送信電力）をベクトル調整器３の利得を調整する前の送信電力（２Ｗ）に戻す（ステップＡ５）。
【００９４】
このときベクトル調整器８は、主増幅信号Ｓ１０の歪除去を優先させたベクトル調整を行わずに、出力端子１３から出力される無線信号Ｓ５の電力が規定値（ステップＡ４でベクトル調整器３の利得を調整する前の送信電力）になるようにベクトル調整（例えば利得調整）を行う。
【００９５】
本実施例では、内部温度０℃以下になったことにより行われる主増幅器４の消費電力を上げる動作状態では、歪補償の歪除去量が低下することになるが、出力端子１３から出力される信号の電力が小さいことにより歪の絶対値電力も小さくなる。
【００９６】
したがって、移動通信システムにおいて、内部温度０℃以下になったことにより主増幅器４の消費電力を上げる動作状態での歪量は、移動体通信において干渉の影響を与えることが少なくなり、通信の問題となる可能性は低くなる。
【００９７】
なお、ベクトル制御回路１５が、無線信号Ｓ４および無線信号Ｓ５の歪成分および電力を検出する方法は、例えば、ベクトル制御回路１５に所望の周波数だけ通過させるフィルタを入れておくことで実現できる。以上の動作により主増幅器４の消費電力が上がるが、入力端子１から出力端子１３までの利得は、一定に保つことが可能となる。
【００９８】
図４は、温度センサー１４が所定の温度より低い温度を検出した際の動作を説明するための説明図である。
【００９９】
図４（Ａ）は入力端子１に入力される無線信号Ｓ１の一例を示した波形図であり、図４（Ｂ）は方向性結合器２からベクトル調整器３に供給された無線信号Ｓ２を示した波形図であり、図４（Ｃ）は方向性結合器２から遅延線６に供給された無線信号Ｓ３を示した波形図である。
【０１００】
ベクトル調整器３は、ベクトル制御回路１５から供給される制御信号Ｓ６に基づいて、主増幅信号Ｓ１０の電力が、無線信号Ｓ４が歪成分だけになるようにする制御信号Ｓ６によって規定される電力より大きい電力（本実施例では、最大送信電力）になるように、無線信号Ｓ２を増幅する。
【０１０１】
主増幅器４は、ベクトル調整器３から出力された無線信号Ｓ２を増幅する。図４（Ｄ）は、主増幅器４から出力された主増幅信号Ｓ１０を示した波形図である。主増幅信号Ｓ１０は、無線信号Ｓ２を増幅した主信号４ａと、無線信号Ｓ２を増幅する際に主増幅器４で生じる歪成分４ｂとを有する。図４（Ｄ）に示した主増幅信号Ｓ１０は、無線信号Ｓ４が歪成分だけになるようにする制御信号Ｓ６によって規定される電力より大きい電力（最大送信電力）となる。
【０１０２】
図４（Ｅ）は、方向性結合器７に入力する主増幅信号Ｓ１０を示した波形図である。図４（Ｆ）は、遅延線６から出力された無線信号Ｓ３を示した波形図である。
【０１０３】
方向性結合器７は、主増幅信号Ｓ１０（図４（Ｅ））と遅延線６で逆位相にされた無線信号Ｓ３（図４（Ｆ））とを合成することにより、主増幅器４で発生した歪成分４ａとベクトル調整器３で利得を上げた分の主信号４ｃとを含んだ無線信号Ｓ４（図４（Ｇ））を出力する。
【０１０４】
ベクトル調整器８は、主増幅信号Ｓ１０の歪除去を優先させたベクトル調整を行わずに、出力端子１３から出力される無線信号Ｓ５の電力が規定値（ステップＡ４でベクトル調整器３の利得を調整する前の送信電力）になるようにベクトル調整を行う。
【０１０５】
補助増幅器９は、ベクトル調整器８から出力された無線信号Ｓ４を増幅する。図４（Ｈ）は、補助増幅器９から出力された無線信号Ｓ４を示した波形図である。
【０１０６】
方向性結合器１１は、補助増幅器９から出力される無線信号Ｓ４（図４（Ｈ））と、主増幅信号Ｓ１０を遅延線１０で逆位相にした信号（図４（Ｉ））とを合成することにより、主増幅器４で発生した歪成分４ａを少なくし且つベクトル調整器３で利得を上げた分だけ主信号のレベルを下げた無線信号Ｓ５（図４（Ｊ））を生成する。
【０１０７】
なお、主増幅器４として、電力効率を上げるために移動体通信の無線基地局装置で使用される増幅器であるＢ級増幅器が用いられることが望ましい。この場合、主増幅器４は、出力電力に比例して消費電力が上昇する。
【０１０８】
本実施例の低温時の動作は、出力電力に関わらず常に高い消費電力を保持することが可能となる。図５は、本実施例の出力電力−消費電力特性の一例を示した説明図である。図５において、特性線５１は低温（所定の温度以下の温度）以外の出力電力−消費電力特性を示し、特性線５２は低温（所定の温度以下の温度）時の出力電力−消費電力特性を示している。
【０１０９】
移動体通信の無線基地局装置で用いられているＷ−ＣＤＭＡ（Wideband Code Division Multiple Access）方式を例にとると、トラフィックが多い場合や遠距離の移動端末との通信状態においては、無線基地局装置は送信電力を上げて運用されるため、外気温が低くても自己の発熱量が高いため無線基地局装置の筐体の内部は温かさを保つことができる。
【０１１０】
しかし、トラフィックが少ない場合や近距離の移動端末との通信では、無線基地局装置は送信電力を下げて運用され、また、通信できない人が出ないように通常運用時は、送信電力が低く済むように移動体通信の基地局装置のエリア設定が行われる。
【０１１１】
そのため、無線基地局装置は、通常運用時、送信電力が低い状態で運用されていることがほとんどのため、外気温が低いと無線基地局装置の筐体の内部温度が低下し部品仕様温度を下回ってしまう。
【０１１２】
本実施例によれば、低温時に、出力電力に関わらず内部温度上昇値を上げていられるため（図６参照）、基地局装置の筐体の内部温度を高くしていることが可能となる。
【０１１３】
図７は、送信出力が２Ｗの場合における無線基地局装置の筐体内部の温度と外気温との関係の一例を示した説明図である。なお、図７の場合、部品仕様温度が０℃であり、外気温が−２０℃のときに無線基地局装置の筐体内部温度が０℃になるとする。この場合、無線基地局装置が正常に動作する外気温の限界値は−２０℃となる。したがって、図７に示した例では、外気温が−２０度Ｃ以下になると、図２で示したステップＡ２以上の動作を実行するように設定される。
【０１１４】
本実施例において無線基地局装置の筐体内部温度を３０℃上昇することが可能な場合、外気温が―５０℃以上の場合まで筐体の内部温度を０℃以上に保つことが可能となる。
【０１１５】
次に、本発明の他の実施例を説明する。
【０１１６】
図８は、本発明の他の実施例の無線基地局を示したブロック図である。図８において、図１に示したものと同一のものには同一符号を付してある。
【０１１７】
図８において、ベクトル制御回路１６は、マイクロプロセッサ（ＣＰＵ）等のコンピュータを含む。
【０１１８】
ベクトル制御回路１６は、温度センサー１４の出力、方向性結合器７の出力および方向性結合器１２の出力とに基づいてベクトル調整器３およびベクトル調整器８および可変減衰器１７を制御する。
【０１１９】
ベクトル制御回路１６は、温度センサー１４によって検出された温度が所定の温度より高い場合には、図１に示したベクトル制御回路１５と同様に動作する。
【０１２０】
ベクトル制御回路１６は、温度センサー１４によって検出された温度が所定の温度以下の場合には、ベクトル調整器３の利得が、方向性結合器７から出力された無線信号Ｓ４に基づいて決定される所定の利得より大きくなるようにベクトル調整器３の利得を制御する。
【０１２１】
また、ベクトル制御回路１６は、温度センサー１４によって検出された温度が所定の温度以下の場合には、出力端子１３から出力される無線信号Ｓ５の送信電力が、方向性結合器７から出力された無線信号Ｓ４に基づいて決定される送信電力となるように、可変減衰器１７の減衰量を制御する。
【０１２２】
本実施例は、従来のフィードフォワード方式の増幅器に可変減衰器１７を追加することにより、主増幅器４の出力電力を上げ、可変減衰器１７の減衰量を主増幅器４の利得を上げた分に対応させる。
【０１２３】
次に、動作を説明する。
【０１２４】
ベクトル制御回路１６は、温度センサー１４が測定した温度が部品仕様温度の下限値（所定の温度＝０℃）以下か否かを判別する。
【０１２５】
温度センサー１４が測定した温度が部品仕様温度（０℃）より高い場合は、ベクトル制御回路１６は、図１に示した実施例と同様に動作し、通常のフィードフォワード増幅の制御を行う。なお、この場合、ベクトル制御回路１６は、可変減衰器１７による減衰量を０とする。
【０１２６】
温度センサー１４が測定した温度が部品仕様温度（０℃）以下の場合は、ベクトル制御回路１６は、現在の無線信号Ｓ５の出力が最大定格（最大送信出力：２０Ｗ）に対してどのくらい低いか判断する。例えば、現在の無線信号Ｓ５が２Ｗの送信電力であれば、ベクトル制御回路１６は、ベクトル調整器３の利得を１０ｄＢ上げ最大送信出力（２０Ｗ）相当の利得にする。
【０１２７】
ベクトル制御回路１６は、利得を上げた分の無線信号Ｓ２の電力を可変減衰器１７により減衰させ、無線信号Ｓ５の送信電力を変更前の値（本例では２Ｗ）に戻す。なお、可変減衰器１７は、ベクトル制御回路１６から出力される制御信号Ｓ９で制御される。
【０１２８】
以上の動作により、主増幅器４の消費電力が上がるが、入力端子１から出力端子１３までの利得は一定に保たれ、筐体の内部温度を上げることが可能となる。
【０１２９】
本実施例によれば、以下のような効果を奏する。
【０１３０】
第１の効果は、低温時に、増幅器の筐体内の温度を上げることが可能ということである。その理由は、増幅器の入出力の利得を変更せずに主増幅器の出力電力を上げることができることにより、主増幅器の消費電力を上昇させることにより発熱量も上昇させることができるからである。
【０１３１】
第２の効果は、コストアップ無しに内部温度を上げることが可能になるということである。その理由は、従来のフィードフォワード方式の増幅器を使用するだけで済むため、新規に部品を追加する必要性がないためである。
【０１３２】
以上説明した各実施例において、図示した構成は単なる一例であって、本発明はその構成に限定されるものではない。
【図面の簡単な説明】
【０１３３】
【図１】本発明の一実施例の無線基地局を示したブロック図である。
【図２】図１に示した無線基地局の動作を説明するためのフローチャートである。
【図３】図１に示した無線基地局の動作を説明するための波形図である。
【図４】図１に示した無線基地局の動作を説明するための波形図である。
【図５】本実施例の出力電力と消費電力との関係の一例を示した説明図である。
【図６】本実施例の出力電力と温度上昇度との関係の一例を示した説明図である。
【図７】本実施例の外気温と内部温度との関係の一例を示した説明図である。
【図８】本発明の他の実施例の無線基地局を示したブロック図である。
【符号の説明】
【０１３４】
１      入力端子
２      方向性結合器
３      ベクトル調整器
４      主増幅器
５      方向性結合器
６      遅延線
７      方向性結合器
８      ベクトル調整器
９      補助増幅器
１０      遅延線
１１      方向性結合器
１２      方向性結合器
１３      出力端子
１４      温度センサー
１５      ベクトル制御回路
１６      ベクトル制御回路
１７      可変減衰器
１００      増幅器
１０１      可変利得増幅部
１０２      可変利得部
２００      アンテナ
【図１】
2005236552.tif 000003
【図２】
2005236552.tif 000004
【図３】
2005236552.tif 000005
【図４】
2005236552.tif 000006
【図５】
2005236552.tif 000007
【図６】
2005236552.tif 000008
【図７】
2005236552.tif 000009
【図８】
2005236552.tif 000010